(57)【要約】【課題】ジャンパ線を使って冷凍装置の機能の状態を変更する場合に容易に元の状態に戻すことのできる冷凍装置を提供する。【解決手段】第１金属線６１及び第２金属線６２による電気的な導通がある双方導通状態のときには所定機能である電流制限機能が第１状態であるオフ状態になるように機器が制御される。第１金属線６１が物理的に切断されて電気的に非導通状態となったときには機器の制御が変更されて所定機能が第１状態から第２状態であるオン状態に変更される。さらに第２金属線６２が物理的に切断されて電気的に非導通状態となったときには機器の制御が戻されて所定機能が第２状態から第１状態に戻るように構成されている。【選択図】図４
2018204924.tif 000002
【特許請求の範囲】
【請求項１】
冷媒が循環する冷媒回路に設けられている少なくとも１つの機器（３１，３３，３４）と、
第１金属線（６１）を含む第１ジャンパ線（５１）と、
第２金属線（６２）を含む第２ジャンパ線（５２）と、
を備え、
前記第１金属線及び前記第２金属線による電気的な導通がある双方導通状態のときには所定機能が第１状態になるように前記機器が制御され、
前記第１金属線が物理的に切断されて電気的に非導通状態となったときには前記機器の制御が変更されて前記所定機能が前記第１状態から第２状態に変更され、
さらに前記第２金属線が物理的に切断されて電気的に非導通状態となったときには前記機器の制御が戻されて前記所定機能が前記第２状態から前記第１状態に戻るように構成されている、冷凍装置。
【請求項２】
前記第１金属線が物理的に切断されずに前記双方導通状態から前記第２金属線が物理的に切断されて電気的に非導通状態となったときには前記機器の制御が変更されて前記所定機能が前記第１状態から第２状態に変更され、
さらに前記第１金属線が物理的に切断されて電気的に非導通状態となったときには前記機器の制御が戻されて前記所定機能が前記第２状態から前記第１状態に戻るように構成されている、
請求項１に記載の冷凍装置。
【請求項３】
前記第１金属線及び前記第２金属線と並べて配置されている複数の第３金属線（６３）を含む複数の第３ジャンパ線（５３）をさらに備え、
前記第１金属線、前記第２金属線及び複数の前記第３金属線からなる金属線群の端に前記第１金属線及び前記第２金属線のうちの少なくとも一方が配置されている、
請求項２に記載の冷凍装置。
【請求項４】
複数の前記第３ジャンパ線は、前記第３金属線が物理的に切断されたときには、前記機器の制御が変更されて前記所定機能とは異なる他の機能が第３状態から第４状態に変更されるが、前記第４状態から前記第３状態には前記第３ジャンパ線を使って戻すことができない構成となっている、
請求項３に記載の冷凍装置。
【請求項５】
前記所定機能は、装置全体の入力電流を制限する電流制限機能であり、前記第１状態は前記電流制限機能が作動している状態であり、前記第２状態は前記電流制限機能が作動していない状態である、
請求項４に記載の冷凍装置。
【請求項６】
装置全体の使用電力を削減する電力制限機能が許可されているときに前記電流制限機能がオン状態になった場合には、前記電力制限機能が禁止されているときに前記電流制限機能がオン状態になった場合に比べてさらに入力電流を小さくする制限を行なうように構成されている、
請求項５に記載の冷凍装置。
【発明の詳細な説明】
【技術分野】
【０００１】
本発明は、冷凍装置に関する。
【背景技術】
【０００２】
従来から、冷凍装置の機能の状態を設定したり冷凍装置の機能の状態を変更したりするためにプリント配線基板などにジャンパ線を設けることがある。例えば、特許文献１（特開２００１−１６０６６０号公報）には、空気調和機用リモートコントローラのプリント基板上のジャンパ線の切断を、プリント基板を取り外すことなく外部から容易に行うことができるようにする技術が開示されている。このように、ジャンパ線を用いると、ニッパなどで物理的に切断するだけで簡単且つ確実に機能の状態を設定したり変更したりすることができる。また、ジャンパ線は、安価であり、またジャンパ線を用いるとプリント配線基板に実装する際にプリント配線基板上の占有面積を小さくすることができる。
【発明の概要】
【発明が解決しようとする課題】
【０００３】
しかしながら、特許文献１に記載されている冷凍装置では、ジャンパ線が一旦物理的に切断されて冷凍装置の機能の状態が変更されると、ジャンパ線が切断される前の機能の状態に変更することが難しくなる。例えば、切断されたジャンパ線を別の配線部材を用いて繋ぎ直しても切断前の安全性を確保できるとは限らない。そこで、プリント基板を取り替えると、取り替えのための費用が発生してしまう。
【０００４】
本発明の課題は、ジャンパ線を使って冷凍装置の機能の状態を変更する場合に容易に元の状態に戻すことのできる冷凍装置を提供することである。
【課題を解決するための手段】
【０００５】
本発明の第１観点に係る冷凍装置は、冷媒が循環する冷媒回路に設けられている少なくとも１つの機器と、第１金属線を含む第１ジャンパ線と、第２金属線を含む第２ジャンパ線と、を備え、第１金属線及び第２金属線による電気的な導通がある双方導通状態のときには所定機能が第１状態になるように機器が制御され、第１金属線が物理的に切断されて電気的に非導通状態となったときには機器の制御が変更されて所定機能が第１状態から第２状態に変更され、さらに第２金属線が物理的に切断されて電気的に非導通状態となったときには機器の制御が戻されて所定機能が第２状態から第１状態に戻るように構成されている。
【０００６】
第１観点に係る冷凍装置によれば、第１金属線を物理的に切断して電気的に非導通状態にすることにより所定機能を第１状態から第２状態に変更でき、もし第１状態に戻したい事情ができても、さらに第２金属線を物理的に切断して電気的に非導通状態とすることで機器の制御を元に戻して所定機能を第２状態から第１状態に戻すことができる。
【０００７】
本発明の第２観点に係る冷凍装置は、第１観点に係る冷凍装置において、第１金属線が物理的に切断されずに双方導通状態から第２金属線が物理的に切断されて電気的に非導通状態となったときには機器の制御が変更されて所定機能が第１状態から第２状態に変更され、さらに第１金属線が物理的に切断されて電気的に非導通状態となったときには機器の制御が戻されて所定機能が第２状態から第１状態に戻るように構成されている、ものである。
【０００８】
第２観点に係る冷凍装置によれば、第１金属線の替わりに第２金属線を切断しても第２状態に変更でき、さらに第１金属線を切断すれば元の第１状態に戻せることから、第１金属線と第２金属線とを区別して作業しなくても済む。もしも第１金属線と第２金属線とを区別しなければならないと、誤って第２金属線を先に切断することで修理が必要になるが、第１金属線と第２金属線とを区別しなくてもよければそのような修理が不要になる。
【０００９】
本発明の第３観点に係る冷凍装置は、第２観点に係る冷凍装置において、第１金属線及び第２金属線と並べて配置されている複数の第３金属線を含む複数の第３ジャンパ線をさらに備え、第１金属線、第２金属線及び複数の第３金属線からなる金属線群の端に第１金属線及び第２金属線のうちの少なくとも一方が配置されている、ものである。
【００１０】
第３観点に係る冷凍装置によれば、第１金属線及び第２金属線のうちの少なくとも一方が金属線群の端に配置されていることから、特定の端の金属線を切断すれば第１金属線または第２金属線を切断できる。
【００１１】
本発明の第４観点に係る冷凍装置は、第３観点に係る冷凍装置において、複数の第３ジャンパ線は、第３金属線が物理的に切断されたときには、機器の制御が変更されて所定機能とは異なる他の機能が第３状態から第４状態に変更されるが、第４状態から第３状態には第３ジャンパ線を使って戻すことができない構成となっている、ものである。
【００１２】
第４観点に係る冷凍装置によれば、一旦第３金属線を物理的に切断して第４状態になると第３金属線を物理的に切断する前の第３状態へは第３ジャンパ線を使っては戻すことができないことから、第３ジャンパ線の切り間違いから復旧するには修理が必要になるが、ジャンパ線の本数を減らすことができ、例えばプリント配線基板などを小型化することができる。
【００１３】
本発明の第５観点に係る冷凍装置は、第４観点の冷凍装置において、所定機能は、装置全体の入力電流を制限する電流制限機能であり、第１状態は電流制限機能が作動している状態であり、第２状態は電流制限機能が作動していない状態である、ものである。
【００１４】
第５観点に係る冷凍装置によれば、電気を使用するための契約などに対応するために冷凍装置が設定される建物などで使用可能な電流量に合わせて第１ジャンパ線及び第２ジャンパ線により冷凍装置に電流の制限を設けることができ、また契約変更などに合わせて電流制限を解除することができる。
【００１５】
本発明の第６観点に係る冷凍装置は、第５観点の冷凍装置において、装置全体の使用電力を削減する電力制限機能が許可されているときに電流制限機能がオン状態になった場合には、電力制限機能が禁止されているときに電流制限機能がオン状態になった場合に比べてさらに入力電流を小さくする制限を行なうように構成されている、ものである。
【００１６】
第６観点に係る冷凍装置によれば、電力制限機能が許可されているときに電流制限機能がオン状態になった場合には、電力制限機能が禁止されているときに電流制限機能がオン状態になった場合に比べてさらに入力電流を小さくする制限を行なうことから、電力制限機能が働いているときにも電流制限を掛けて入力電流を小さくすることができ、消費電力を削減することと電気を使用するための種々の契約に対応することの両立を図ることができる。
【発明の効果】
【００１７】
本発明の第１観点に係る冷凍装置では、第１ジャンパ線を使って冷凍装置の機能の状態を変更した場合に第２ジャンパ線を使うことで容易に元の状態に戻すことができる。
【００１８】
本発明の第２観点に係る冷凍装置では、所定機能の設定作業が容易になる。また、設置作業のコストの余分な増加を抑制することができる。
【００１９】
本発明の第３観点に係る冷凍装置では、金属線の切断の誤りを減らすことができる。
【００２０】
本発明の第４観点に係る冷凍装置では、第１金属線及び／または第２金属線と間違えて第３金属線を切らずに済むことによって余分な修理の発生などの無駄を省くことができる。
【００２１】
本発明の第５観点に係る冷凍装置では、電気を使用するための契約及び契約の変更などに対応できるようになって利便性が向上する。
【００２２】
本発明の第６観点に係る冷凍装置では、利便性と省電力の両方を向上させることができる。
【図面の簡単な説明】
【００２３】
【図１】本発明の実施形態に係る冷凍装置の構成の概要を示す回路図。
【図２】第１ジャンパ線から第３ジャンパ線及びダミージャンパ線とＣＰＵとの接続関係を示す回路図。
【図３】第１ジャンパ線から第３ジャンパ線及びダミージャンパ線が設けられているプリント配線基板の部分拡大平面図。
【図４】ジャンパ線の物理的な切断について説明するための図。
【図５】電流制限機能の状態の設定を示すフローチャート。
【発明を実施するための形態】
【００２４】
以下、本発明の実施形態に係る冷凍装置について図面を用いて説明する。図１には、実施形態に係る冷凍装置が備える冷媒回路が示されている。
【００２５】
（１）全体構成
図１に示されている冷凍装置１０は、複数の利用ユニット２０と、複数の利用ユニット２０に接続された熱源ユニット３０とを備えている。利用ユニット２０と熱源ユニット３０とは連絡配管１２，１３で接続されており、並列に接続された複数の利用ユニット２０と熱源ユニット３０の間で冷媒を循環させるための冷媒回路１１が形成されている。この冷媒回路１１を冷媒が循環することによって、冷凍装置１０は、蒸気圧縮式冷凍サイクルを行うことができる。
【００２６】
さらに詳細に見ると、各利用ユニット２０は、利用側熱交換器２１を備えている。また、熱源ユニット３０は、圧縮機３１と熱源側熱交換器３２と複数の膨張弁３３とアキュムレータ３５とを備えている。例えば膨張弁３３には電動弁を用いることができる。圧縮機３１、熱源側熱交換器３２、膨張弁３３、利用側熱交換器２１及びアキュムレータ３５の順に冷媒が循環するように冷媒回路１１が構成されている。圧縮機３１は、アキュムレータ３５から吸入したガス冷媒を圧縮する。圧縮機３１の吐出口から出た高温高圧の冷媒は、熱源側熱交換器３２の流入口に流入する。熱源側熱交換器３２において室外空気との間で熱交換された冷媒は、熱源側熱交換器３２の流出口から流出し、膨張弁３３の流入口に流入する。膨張弁３３で膨張されて減圧された冷媒は、膨張弁３３の流出口から流出し、利用側熱交換器２１の流入口に流入する。利用側熱交換器２１において室内空気との間で熱交換されたガス冷媒は、利用側熱交換器２１の流出口から流出し、アキュムレータ３５を介して圧縮機３１の吸入口に流入する。
【００２７】
（２）詳細構成
（２−１）利用ユニット
各利用ユニット２０のケーシング２９の内部には、利用側熱交換器２１と利用側ファン２２と利用側制御装置４２が設置されている。利用側熱交換器２１は、空気と冷媒との間の熱交換をさせる空気熱交換器であって、例えば伝熱管と多数のフィンとにより構成されたクロスフィン式のフィン・アンド・チューブ型熱交換器である。利用側熱交換器２１においては、チューブ（伝熱管）内を流れる冷媒回路１１の冷媒と、フィンの間を通過する室内空気との間で熱交換が行われる。従って、利用側熱交換器２１は、冷房運転時に冷媒の蒸発器として機能して室内空気を冷却する。
【００２８】
利用ユニット２０の利用側ファン２２は、ケーシング２９内に室内空気を吸入して、利用側熱交換器２１において冷媒と熱交換させた後に、熱交換後の空気を供給空気として室内に供給する送風機として機能する。利用側ファン２２は、利用側熱交換器２１に供給する空気の風量を所定風量範囲において変更することが可能なファンであり、例えばＤＣファンモータ等からなるモータ（図示せず）によって駆動される。このモータは、利用側制御装置４２によって制御される。利用側制御装置４２は、上述の利用側ファン２２の制御以外に、制御装置４０として、各利用ユニット２０のサーモオンとサーモオフの制御を行う。そのために、利用側制御装置４２は、例えばリモートコントローラ（図示せず）のような入力装置を備えている。ユーザは、リモートコントローラを用いて室内温度の設定温度を入力する。
【００２９】
（２−２）熱源ユニット３０
熱源ユニット３０のケーシング４９の内部には、圧縮機３１と熱源側熱交換器３２と膨張弁３３と熱源側ファン３４とアキュムレータ３５と熱源側制御装置４１が設置されている。熱源ユニット３０に設けられている圧縮機３１は、回転数(運転周波数)によって運転容量を変えることが可能な容積式圧縮機であり、例えばインバータにより回転数が制御されるモータ（図示せず）によって圧縮機３１の回転数が制御される。この圧縮機３１のモータは、後述する熱源側制御装置４１により制御される。
【００３０】
熱源側熱交換器３２は、熱源ユニット３０の内部に流入する外気と圧縮機３１で圧縮された冷媒との間で熱交換を行わせる。熱源側熱交換器３２は、例えばクロスフィン式のフィン・アンド・チューブ型熱交換器であり、チューブ（伝熱管）の中を通る冷媒と多数のフィンの間を通過する外気との間で熱交換を行わせる。つまり、熱源側熱交換器３２は、冷房運転時に放熱器として機能している。この熱源側熱交換器３２を通る間に冷媒から熱が放出されて、ガス冷媒は、気液二相状態を経て液冷媒に変化する。熱源側熱交換器３２で熱交換された空気は、熱源ユニット３０の外部に吹き出される。
【００３１】
熱源側ファン３４は、熱源ユニット３０のケーシング４９の周りの外気を熱源側熱交換器３２に送る。熱源側ファン３４は、熱源側熱交換器３２に供給する空気の風量を変更することが可能なファンであり、モータ（図示せず）によって駆動されるプロペラファン等である。この熱源側ファン３４のモータの回転数は、熱源側制御装置４１により制御される。
【００３２】
熱源側制御装置４１は、上述のように圧縮機３１及び熱源側ファン３４を制御する。熱源側制御装置４１は、利用側制御装置４２に接続されている。熱源側制御装置４１と利用側制御装置４２は、冷凍装置１０の制御装置４０を構成する。つまり、制御装置４０は、各種センサ（図示せず）の検出結果及び利用側制御装置４２から与えられる情報に応じて複数の利用ユニット２０及び熱源ユニット３０を制御する。
【００３３】
（３）電流制限機能の状態の設定
冷凍装置１０を運転するためには、電力の供給を受ける必要がある。電力の供給を受けるためには、電力会社などの電力を供給する組織と契約を結ぶのが一般的である。このような電気の供給を受けるための契約では、供給される電流値に上限が設けられる場合があるが、その上限には数種類のオプションが設定されていて、通常、冷凍装置１０のユーザがそれらのオプションの中から状況に適したオプションを選択することになる。世界中の各地域でそれぞれの契約内容は区々であるが、例えば、１０アンペアと７アンペアの２つのオプションが選択できる場合を考える。冷凍装置１０は、例えば、１０アンペアにも７アンペアにも対応させることができるように構成され、出荷時には１０アンペアに対応するように設定されている。このように設定されている場合には、もし、ユーザが７アンペアで契約していれば、設置時に、冷凍装置１０の能力を小さくして契約した条件を超えないようにすることが必要になる。あるいは、出荷時には７アンペアに対応するように設定されており、設置時に冷凍装置１０の能力を大きくして契約に適したものとすることが必要になる場合も考えられる。
【００３４】
冷凍装置１０は、図２に示されている第１ジャンパ線５１と第２ジャンパ線５２を用いて電流制限機能の状態を切り替えることができるように構成されている。図３に示されているように、第１ジャンパ線５１は第１金属線６１を含んでおり、第２ジャンパ線５２は第２金属線６２を含んでいる。第１金属線６１及び第２金属線６２の部材は、例えば、錫メッキされた銅線である。電流抑制機能の具体的な設定の変更は、図４に示されているように、ニッパ８０などの切断器具を用いて、プリント配線基板７０に実装されている第１金属線６１若しくは第２金属線６２または両方を物理的に切断することにより行われる。図４に示されているプリント配線基板７０にはニッパ８０で切断し易いように第１金属線６１及び第２金属線６２の配置箇所に、開口部７１が設けられている。第１金属線６１及び第２金属線６２などの周囲には、例えば、チップ抵抗７２などの他の電気部品が実装されている。また、プリント配線基板７０の上には、配線７３が金属箔などを用いて形成されている。
【００３５】
図２に示されているように、第１ジャンパ線５１の一方端５１ａは接地電位（ＧＮＤ）に接続され、他方端５１ｂは熱源側制御装置４１のＣＰＵ（中央演算処理装置）４１ａの第１端子Ｔ１に接続されている。また、第２ジャンパ線５２の一方端５２ａは接地電位（ＧＮＤ）に接続され、他方端５２ｂはＣＰＵ４１ａの第２端子Ｔ２に接続されている。
【００３６】
ＣＰＵ４１ａは、第１ジャンパ線５１が導通していれば（第１端子Ｔ１の電位がＧＮＤであれば）、「Ｈ」信号が入力されていると判別し、第１ジャンパ線５１が非導通であれば（第１端子Ｔ１がオープンであれば）、「Ｌ」信号が入力されていると判別する。
【００３７】
熱源側制御装置４１内のメモリ４１ｂには、第１端子Ｔ１と第２端子Ｔ２の入力信号の組み合わせと電流制限機能との関係が記憶されている。例えば、メモリ４１ｂには、第１端子Ｔ１と第２端子Ｔ２の両方に「Ｈ」信号が入力されているか、または両方に「Ｌ」信号が入力されているときには、電流制限機能をオフ状態にすることが記憶されている。また、メモリ４１ｂには、第１端子Ｔ１と第２端子Ｔ２のうちの一方に「Ｈ」信号が入力され、他方に「Ｌ」信号が入力されているときには、電流制限機能をオン状態にすることが記憶されている。
【００３８】
図５には、ＣＰＵ４１ａにおける電流制限機能の状態を決定するための判断のフローが示されている。ＣＰＵ４１ａは、ステップＳ１において、第１端子Ｔ１と第２端子Ｔ２の入力信号によって、第１金属線６１または第２金属線６２が物理的に切断されているか否かを判別する。もし、第１金属線６１及び第２金属線６２のいずれもが切断されていなければ（ステップＳ１のＮｏ）、第１端子Ｔ１と第２端子Ｔ２の入力信号がともに「Ｌ」となるから、ステップＳ２において電流制限機能をオフ状態にする指令を受けたと判断する。もし、第１金属線６１及び第２金属線６２のうちの少なくとも一方が切断されていれば（ステップＳ１のＹｅｓ）、ステップＳ３において、第１端子Ｔ１と第２端子Ｔ２の入力信号により、第１金属線６１及び第２金属線６２の両方がともに物理的に切断されているか否かを判別する。もし、第１金属線６１及び第２金属線６２の両方がともに切断されているのでなければ（ステップＳ３のＮｏ）、第１端子Ｔ１と第２端子Ｔ２の入力信号のうちの一方が「Ｌ」となるとともに他方が「Ｈ」になるから、ステップＳ４において電流制限機能をオン状態にする指令を受けたと判断する。もし、第１金属線６１及び第２金属線６２の両方がともに切断されていれば（ステップＳ３のＹｅｓ）、第１端子Ｔ１と第２端子Ｔ２の入力信号の両方が「Ｈ」になるから、ステップＳ５において電流制限機能をオフ状態にする指令を受けたと判断する。
【００３９】
電流制限機能がオン状態になると、例えば圧縮機３１の運転周波数が制限されることによって冷凍装置１０の入力電流が制限される。ＣＰＵ４１ａは、電流制限機能がオン状態になると、例えば、圧縮機３１の運転周波数の上限値を、電流制限機能がオフの状態のときに比べて小さくする。電流制限機能がオフ状態のときに圧縮機３１の運転周波数が上限で運転されているときの入力電流に比べて電流制限機能がオン状態のときに圧縮機３１の運転周波数が上限で運転されているときの入力電流が小さくなるので、例えば７アンペアで契約する場合に入力電流を契約の範囲内に収めることができる。なお、電流制限機能がオン状態のときに制御が変更される冷媒回路１１の機器は、圧縮機３１には限られず、例えば、熱源側ファン３４及び／または膨張弁３３の制御も変更されてもよい。
【００４０】
（４）電流制限機能以外の機能の状態の設定
プリント配線基板７０には、図３に示されているように、第１金属線６１及び第２金属線６２以外に、複数の第３金属線６３及び第４金属線６４が設けられている。これら第３金属線６３及び第４金属線６４は、第１金属線６１及び第２金属線６２と並べて配置されている。第１金属線６１から第４金属線６４からなる金属線群６９の中で、第１金属線６１は、金属線群６９の端に配置されている。
【００４１】
第３金属線６３は、電流制限機能以外の機能の状態を設定するために用いられる第３ジャンパ線５３を構成する。冷凍装置１０は、例えば、第２金属線６２に隣接する第３金属線６３が物理的に切断されるか否かによって、電力制限機能を許可するか、禁止するかを選択できるように構成されている。電力制限機能が許可されたときには、冷房能力よりも冷凍装置１０の消費電力の削減を優先する。例えば、第２金属線６２に隣接する第３金属線６３が物理的に切断された場合には、電力制限機能が禁止され、この第３金属線６３が導通状態にあるときには電力制限機能が許可される。この第３金属線６３が物理的に切断されると、ＣＰＵ４１ａの第３端子Ｔ３に「Ｈ」信号が入力されてＣＰＵ４１ａは電力制限機能を禁止する指令があると判断する。
【００４２】
なお、第３金属線６３が切断されてＣＰＵ４１ａの第３端子Ｔ３の入力信号が変更されて電力制限機能が禁止された場合には、金属線群６９を使っては電力制限機能を元の許可状態に戻すことができないように構成されている。また、第４端子Ｔ４及び第５端子Ｔ５に接続されている他の第３金属線６３が切断されてＣＰＵ４１ａの第４端子Ｔ４の入力信号が変更された場合も、第５端子Ｔ５の入力信号が変更された場合も、金属線群６９を使っては機能を変更前の状態には戻せないように構成されている。
【００４３】
この冷凍装置１０は、電力制限機能が許可されるとともに、さらに電流制限機能によって電流が制限されている場合に、電力制限機能が許可されていない状態で、さらに電流制限機能によって電流が制限されている場合に比べて、入力電流を小さくする制限を行うように構成されている。
【００４４】
（５）ダミージャンパ線
図２には、ＣＰＵ４１ａの端子には接続されていないダミージャンパ線５４が設けられている。このダミージャンパ線５４の第４金属線６４は、図４に示されているように、第１金属線６１が配置されている金属線群６９の端とは反対側に位置する金属線群６９の他の端に配置されている。このように、金属線群６９の他の端に第４金属線６４が配置されているので、誤って第１金属線６１の代わりに第４金属線６４を切断しても、冷凍装置１０の機能の設定が予期しないものに変わるのを防止することができる。
【００４５】
（６）変形例
（６−１）変形例１Ａ
上記実施形態の金属線群６９の第１金属線６１から第４金属線６４は、同じ長さで同じ間隔で互いに平行になるように配置されている。しかしながら、第１金属線６１及び第２金属線６２は、例えば他の第３金属線６３及び第４金属線６４とは異なる間隔、異なる長さ及び異なる色のうちの少なくともいずれかで見分け易いように構成されてもよい。
【００４６】
（６−２）変形例１Ｂ
上記実施形態では、同じ機能の状態を切り替えるために、第１ジャンパ線５１と第２ジャンパ線５２の１組だけ設ける例を説明したが、このように同じ機能の状態を切り替えるための２本で１組になるジャンパ線を複数組み設けてもよい。
【００４７】
（６−３）変形例１Ｃ
上記実施形態では、同じ機能の２つの状態（オン状態とオフ状態）を切り替えるために、第１ジャンパ線５１と第２ジャンパ線５２の２本のジャンパ線を用いる場合について説明したが、同じ機能の３つ以上の状態（第１状態、第２状態及び第３状態など）を切り換えて且つ元の状態に戻せるようにするために、３本以上のジャンパ線を１組として設けてもよい。
【００４８】
（６−４）変形例１Ｄ
上記実施形態では、第１ジャンパ線５１と第２ジャンパ線５２を直接制御装置４０のＣＰＵ４１ａに接続する場合について説明したが、第１ジャンパ線５１及び第２ジャンパ線５２と制御装置４０の間に第１ジャンパ線５１と第２ジャンパ線５２の状態に応じた信号を生成する電気回路（または電子回路）を設けてもよい。
【００４９】
（６−５）変形例１Ｅ
上記実施形態では、第１金属線６１を金属線群６９の端に設ける場合について説明したが、第２金属線６２を金属線群６９の端に設けてもよく、また第１金属線６１と第２金属線６２の両方を金属線群６９の両端に設けてもよい。
【００５０】
（６−６）変形例１Ｆ
上記実施形態では、マルチタイプの冷凍装置１０を例に挙げて説明したが、本発明が適用できる冷凍装置はマルチタイプの冷凍装置に限られるものではなく、例えば１台の熱源ユニットに１台の利用ユニットが接続されているペアタイプの冷凍装置に適用することもできる。また、冷凍装置１０が冷媒専用の場合について説明したが、本発明の適用は冷房専用の冷凍装置に限られるものではなく、冷房と暖房を切換えられるタイプなど他のタイプの冷凍装置にも用いることができる。
【００５１】
（７）特徴
（７−１）
上述の実施形態の冷凍装置１０では、第１金属線６１を物理的に切断して電気的に非導通状態にすることにより所定機能である電流制限機能を第１状態であるオフ状態（またはオン状態）から第２状態であるオン状態（またはオフ状態）に変更でき、もし第１状態に戻したい事情ができても、さらに第２金属線６２を物理的に切断して電気的に非導通状態とすることで例えば圧縮機３１などの機器の制御を元に戻して電流制限機能を第２状態から第１状態に戻すことができる。このように、第１ジャンパ線５１を使って冷凍装置１０の電流制限機能の状態を変更した場合に第２ジャンパ線５２を使うことで容易に元の状態に戻すことができるので、電流制限機能のオン状態とオフ状態の設定が容易になり、例えば電気を使用するための契約のバリエーションに対応することができる。また、プリント配線基板７０にディップスイッチなどを設ける場合に比べてコストを抑制することができる。
【００５２】
（７−２）
また、冷凍装置１０では、第１金属線６１の替わりに第２金属線６２を切断しても第２状態である電流制限機能オン状態（またはオフ状態）に変更でき、さらに第１金属線６１を切断すれば元の第１状態に戻せることから、第１金属線６１と第２金属線６２とを区別して作業しなくても済み、電流制限機能の設定作業が容易になる。また、もしも第１金属線６１と第２金属線６２とを区別しなければならないと、誤って第２金属線６２を先に切断することで修理が必要になるが、第１金属線６１と第２金属線６２とを区別しなくてもよければそのような修理が不要になり、設置作業のコストの余分な増加を抑制することができる。
【００５３】
（７−３）
上記実施形態の第１金属線６１が金属線群６９の端に配置されていることから、金属線群６９の特定の端、上記実施形態では図２の上側の端の金属線を切断すれば第１金属線６１を切断できる。その結果、例えば第１金属線６１と間違えて第３金属線６３を切断してしまうなどの金属線の切断の誤りを減らすことができる。なお、第２金属線６２を例えば図２の金属線群６９の下側の端に設けてもよい。その場合には、どちらの端の金属線を切断しても、第１金属線６１または第２金属線６２を切断することができる。
【００５４】
（７−４）
上記実施形態の冷凍装置１０では、一旦第３金属線６３を物理的に切断して電力制限機能が第４状態である禁止状態（または許可状態）になると第３金属線６３を物理的に切断する前の第３状態である許可状態（または禁止状態）へは第３ジャンパ線５３を使って戻すことができないことから、第３ジャンパ線５３の切り間違いから復旧するには修理が必要になる。しかしながら、上述のような構成とすることで、ジャンパ線の本数を減らすことができ、例えばプリント配線基板７０などを小型化することができる。そして、第１金属線６１及び第２金属線６２のうちの少なくとも一方が金属線群６９の端に配置されて第１金属線６１及び第２金属線６２と間違えて第３金属線６３を切らずに済むことによって余分な修理の発生などの無駄を省くことができる。
【００５５】
（７−５）
電気を使用するための契約などに対応するために冷凍装置１０が設定される建物などで使用可能な電流量に合わせて第１ジャンパ線５１及び第２ジャンパ線５２により冷凍装置１０の電流に制限を設けることができ、また契約変更などによって電流制限を解除することができる。このように、電気を使用するための契約及び契約の変更などに対応できて利便性が向上する。
【００５６】
（７−６）
第３金属線６３を用いて電力制限機能が許可されているときに電流制限機能がオン状態になった場合には、電力制限機能が禁止されているときにオン状態になった場合に比べてさらに入力電流を小さくする制限を行なうことから、電力制限機能が働いているときにも電流制限を掛けて入力電流を小さくすることができ、消費電力を削減することと電気を使用するための種々の契約に対応することの両立を図ることができる。その結果、利便性と省電力の両方を向上させることができる。
【符号の説明】
【００５７】
１０    冷凍装置
１１    冷媒回路
３１    圧縮機
３３    膨張弁
３４    熱源側ファン
５１    第１ジャンパ線
５２    第２ジャンパ線
５３    第３ジャンパ線
６１    第１金属線
６２    第２金属線
６３    第３金属線
【先行技術文献】
【特許文献】
【００５８】
【特許文献１】特開２００１−１６０６６０号公報
【図１】
2018204924.tif 000003
【図２】
2018204924.tif 000004
【図３】
2018204924.tif 000005
【図４】
2018204924.tif 000006
【図５】
2018204924.tif 000007